(57)【要約】【課題】ネスティングラックの収納する対象の自由度や使用場所の自由度を高めるために、支柱を伸縮可能なネスティングラックを提供することを課題とする。【解決手段】複数の支柱３と、これらの支柱を連結する複数の連結枠４とを備える籠状のネスティングラック１であって、前記各支柱が、嵌合部Ｇを介して同軸状に連結される下部支柱３ａと上部支柱３ｂと有し、前記嵌合部に、前記下部支柱と前記上部支柱とを固定する固定手段Ｒが設けられ、前記下部支柱および前記上部支柱の前記嵌合部が設けられる部位に、これらの支柱をその軸線と交差する方向に貫通する貫通孔５が、前記軸線方向に所定間隔をおいて複数形成され、前記固定手段が、前記貫通孔に挿入されて前記下部支柱と前記上部支柱の軸線方向の位置決めをなす位置決め部材６と、他の貫通孔に挿入固定される固定部材７と、を含む。【選択図】図５
2020001791.tif 000002
【特許請求の範囲】
【請求項１】
複数の支柱と、これらの支柱を連結する複数の連結枠とを備える籠状のネスティングラックであって、前記各支柱が、嵌合部を介して同軸状に連結される下部支柱と上部支柱とを有し、前記嵌合部に、前記下部支柱と前記上部支柱とを固定する固定手段が設けられ、前記下部支柱および前記上部支柱の前記嵌合部が設けられる部位に、これらの支柱をその軸線と交差する方向に貫通する貫通孔が、前記支柱の軸線方向に所定間隔をおいて複数形成され、前記固定手段が、前記貫通孔に挿入されて前記下部支柱と前記上部支柱の軸線方向の位置決めをなす位置決め部材と、他の貫通孔に挿入固定される固定部材と、を含むことを特徴とするネスティングラック。
【請求項２】
前記下部支柱に形成された複数の貫通孔と、前記上部支柱に形成された貫通孔が、前記下部支柱と前記上部支柱が前記位置決め部材によって位置決めされた状態において、相互に重畳させられる位置に形成されていることを特徴とする請求項１に記載のネスティングラック。
【請求項３】
前記嵌合部が、前記下部支柱と前記上部支柱の何れか一方の端部に同軸状に突設された嵌合突起と、前記下部支柱と前記上部支柱の他方の端部に形成され、前記嵌合突起に嵌合させられる嵌合孔とを備えることを特徴とする請求項１または請求項２に記載のネスティングラック。
【請求項４】
前記嵌合突起および前記嵌合孔の、軸線と直交する断面形状が非真円形状となされていることを特徴とする請求項３に記載のネスティングラック。
【請求項５】
前記位置決め部材が、前記嵌合孔の開口縁部が当接させられることにより、前記下部支柱と前記上部支柱との位置決めを行なうことを特徴とする請求項３又は４に記載のネスティングラック。
【請求項６】
請求項１〜５の何れかに記載のネスティングラックの使用方法であって、前記下部支柱若しくは前記上部支柱の前記複数の貫通孔の一つに前記位置決め部材を貫通させる工程と、前記下部支柱若しくは前記上部支柱に他の前記下部支柱若しくは前記上部支柱を、前記嵌合部を利用して嵌合させる工程と、前記位置決め部材を貫通させた貫通孔以外の貫通孔に前記固定部材を挿入固定することにより、前記下部支柱と前記上部支柱とを固定する工程と、を行うことで前記支柱の長さを調整する、ネスティングラックの使用方法。
【発明の詳細な説明】
【技術分野】
【０００１】
本発明は、倉庫等において物品を保管する際に用いられるネスティングラックに関するものである。
【背景技術】
【０００２】
ネスティングラックは、たとえば特許文献１に示されるように、複数の支柱を連結枠によって相互に連結した籠状のラックであって、下方が開放され、かつ、上部に格子状の棚が設けられた構成となっている。
【０００３】
そして、ネスティングラックは、不使用時には、一つのネスティングラックに、このネスティングラックを上方から包み込むように他のネスティングラックを重ね合わせることにより収納し、使用時には、複数のネスティングラックを並列的に並べ、あるいは、上下に積み重ねて収納空間を形成するようになっている。
【先行技術文献】
【特許文献】
【０００４】
【特許文献１】特開２０１４−２３７４５６号公報
【発明の概要】
【発明が解決しようとする課題】
【０００５】
ところで、前述した従来のネスティングラックにあっては、その収納空間の容積が、前記支柱および前記連結枠の長さによって一義的に決定されている。
この場合、収納する対象の大きさや、ネスティングラックを使用する倉庫の大きさや形状によって、種々の大きさのネスティングラックを用意しなければならないため、効率的でないという問題があった。
【０００６】
本発明は、このような問題に対してなされた発明であり、ネスティングラックの収納する対象の自由度や使用場所の自由度を高めるために、大きさを変えることが可能なネスティングラックを提供することを課題とする。
具体的には、ネスティングラックの支柱を伸縮可能なネスティングラックを提供することを課題とする。
【０００７】
ここで、前記ネスティングラックはその重量が重いため、前記支柱を伸縮するためには、フォークリフト等の機器の使用が欠かせない。
そこで、本発明はさらに、フォークリフト等の機器を用いて容易に支柱を伸縮することが可能なネスティングラックを提供することを課題とする。
【課題を解決するための手段】
【０００８】
本発明のネスティングラックは、前述した課題を解決するために、複数の支柱と、これらの支柱を連結する複数の連結枠とを備える籠状のネスティングラックであって、前記各支柱が、嵌合部を介して同軸状に連結される下部支柱と上部支柱と有し、前記嵌合部に、前記下部支柱と前記上部支柱とを固定する固定手段が設けられ、前記下部支柱および前記上部支柱の前記嵌合部が設けられる部位に、これらの支柱をその軸線と交差する方向に貫通する貫通孔が、前記軸線方向に所定間隔をおいて複数形成され、前記固定手段が、前記貫通孔に挿入されて前記下部支柱と前記上部支柱の軸線方向の位置決めをなす位置決め部材と、他の貫通孔に挿入固定される固定部材と、を含むことを特徴としている。
ここで、本発明において、位置決め部材は、貫通孔に挿入できる棒状の部材であればよく、例えば、ピンやボルトを用いることができる。
【０００９】
このような構成を有するネスティングラックは、前記下部支柱若しくは前記上部支柱に形成されている前記複数の貫通孔の一つに前記位置決め部材を貫通させておき、この位置決め部材が貫通させられた前記下部支柱若しくは前記上部支柱に他の前記下部支柱若しくは前記上部支柱を、前記嵌合部を利用して嵌合させる。
【００１０】
このように前記下部支柱と前記上部支柱とを嵌合させると、これらが前記位置決め部材を介して係合させられることにより、その軸線方向の相対位置が設定される。
このような方法であれば、フォークリフト等の機器を用いて支柱の長さを調整する場合であっても、両支柱の相対位置を設定することが容易となり、支柱の伸縮を行うことができる。
【００１１】
ここで、前記下部支柱と前記上部支柱との軸線方向の位置決めがなされた状態において、前記下部支柱と前記上部支柱のそれぞれに形成されている前記貫通孔どうしが重畳させられている。
【００１２】
そして、前記位置決め部材が貫通させられている貫通孔以外の貫通孔に前記固定部材を挿入固定することにより、前記下部支柱と前記上部支柱とを、前述したように位置決めされた状態で固定することができる。
前記固定部材としては、たとえば、ボルト・ナットが用いられる。
【００１３】
したがって、前記嵌合部において、前記位置決め部材を差し込む貫通孔を選択することにより、前記下部支柱と前記上部支柱の軸線方向の相対的な位置関係、すなわち、前記下部支柱と前記上部支柱とによって構成される支柱の長さを調整することができる。
【００１４】
これにより前記支柱を伸縮することができ、ネスティングラックによって形成される収納空間を変えることや、ネスティングラック自体の大きさを変えることができる。
【００１５】
しかも、前記支柱の長さ調整を行なう前記固定手段が、前記貫通孔に嵌合される位置決め部材や固定部材によって構成されることで、その形状を小さく抑えることができ、これによって、ネスティングラックの重量増加を極力抑えることができる。
【００１６】
前記嵌合部は、前記下部支柱と前記上部支柱の何れか一方の端部に同軸状に突設された嵌合突起と、前記下部支柱と前記上部支柱の他方の端部に形成され、前記嵌合突起に嵌合させられる嵌合孔とによって構成することが好ましい。
【００１７】
このような構成とすることにより、前記嵌合突起の断面形状および前記嵌合孔の形状を、前記支柱の断面形状より小さく形成することができ、これによって前記下部支柱と前記上部支柱の外形形状を変更する必要がなくなる。
【００１８】
また、前記下部支柱と前記上部支柱を、中空、若しくは、断面コ字状の材料を用いることにより、前記嵌合突起を前記下部支柱と前記上部支柱の何れか一方に固定するのみの簡素な構造で前記嵌合部を構成することができる。
【００１９】
前記嵌合突起および前記嵌合孔の、軸線と直交する断面形状を非真円形状とすることができる。
【００２０】
このような構成とすると、前記嵌合部において前記下部支柱と前記上部支柱とを嵌合させる際に、これらの軸線回りの位置ずれが防止され、これによって前記下部支柱と前記上部支柱との嵌合操作が容易となる。
【００２１】
また、本発明は、前述した本発明のネスティングラックの使用方法であって、前記下部支柱若しくは前記上部支柱の前記複数の貫通孔の一つに前記位置決め部材を貫通させる工程と、前記下部支柱若しくは前記上部支柱に他の前記下部支柱若しくは前記上部支柱を、前記嵌合部を利用して嵌合させる工程と、前記貫通孔以外の貫通孔に前記固定部材を挿入固定することにより、前記下部支柱と前記上部支柱とを固定する工程と、を行うことで前記支柱の長さを調整する、ネスティングラックの使用方法にも関する。
このような使用方法によって、ネスティングラックの支柱を伸縮することにより、収納空間の容積の変更を容易に行うことができる。
【発明の効果】
【００２２】
本発明によれば、ネスティングラックの支柱を伸縮することにより、収納空間の容積の変更を容易に行うことができ、収納対象の自由度やネスティングラックの設置場所の自由度を高めることができる。
【図面の簡単な説明】
【００２３】
【図１】本発明の一実施形態にかかるネスティングラックの設置操作を説明するための概略側面図である。
【図２】本発明の一実施形態にかかるネスティングラックの正面図である。
【図３】本発明の一実施形態にかかるネスティングラックの側面図である。
【図４】本発明の一実施形態にかかるネスティングラックの平面図である。
【図５】本発明の一実施形態にかかるネスティングラックの固定部を示す拡大斜視図である。
【図６】本発明の一実施形態にかかるネスティングラックの固定手順を示す斜視図である。
【図７】本発明の一実施形態にかかるネスティングラックの固定手順を示す斜視図である。
【図８】本発明の一実施形態にかかるネスティングラックの固定手順を示す斜視図である。
【発明を実施するための形態】
【００２４】
以下、本発明の一実施形態について、図面を参照して説明する。
図１において、符号１は本実施形態にかかるネスティングラックを示し、その複数をフォークリフト２によって積み重ねることによって多層状の収納空間を形成するようになっている。
【００２５】
図２ないし図４に示すように、本実施形態のネスティングラック１は、４本の支柱３と、これらの支柱３を連結する複数の連結枠４とによって籠状に組み上げられている。
【００２６】
前記支柱３は、前方（図２中の手前側）と後方のそれぞれに平行に一対配置され、合計４本の支柱３を備えている。
【００２７】
そして、前記後方の一対の支柱３の間隔が、前方の一対の支柱３の間隔よりも狭く設定されている。
【００２８】
前記連結枠４は、前記前方の支柱３の上端部間、前方の支柱３の上端部と後方の支柱３の上端外側部との間、前方の支柱３の下端部と後方の支柱３の下端外側部との間、および、前記後方の支柱３の下端部間を連結するように配置されている。
【００２９】
したがって、前記前方の一対の支柱３の下端部間は開放されており、下方に位置させられた前記ネスティングラック１に、上方に位置させられるネスティングラック１を前記開放部を介して被せることにより、下方のネスティングラック１を上方のネスティングラック１によって包みこむようにして、複数のネスティングラック１が重ね合わされるようになっている。
【００３０】
前記各支柱３は、その軸線方向（図２中の上下方向）に２分割されて形成された下部支柱３ａと上部支柱３ｂとによって構成され、これらの下部支柱３ａと上部支柱３ｂが、嵌合部Ｇを介して同軸状に連結されている。
【００３１】
図５に示すように、前記下部支柱３ａおよび前記上部支柱３ｂの前記嵌合部Ｇが設けられる部位には、その軸線と交差する方向に貫通する貫通孔５が、前記軸線方向に所定間隔をおいて複数形成されている。
【００３２】
前記嵌合部Ｇは、本実施形態においては、図５に示すように、前記下部支柱３ａの上端部にその軸方向に一体に延設され、前記下部支柱３ａよりも外形形状が小さく形成された嵌合突起１０と、前記上部支柱３ｂの下部に形成され、前記嵌合突起１０が嵌合させられる嵌合孔１１とによって構成されている。
【００３３】
そして、前記下部支柱３ａおよび前記上部支柱３ｂは中空の角形鋼管が用いられており、前記嵌合突起１０の外形形状が、前記下部支柱３ａの内面で形成される形状とほぼ同等に形成されている。
【００３４】
前記嵌合部Ｇには、前記下部支柱３ａと前記上部支柱３ｂとを固定する固定手段Ｒが設けられている。
【００３５】
前記固定手段Ｒは、前記貫通孔に挿入されて前記下部支柱３ａと前記上部支柱３ｂの軸線方向の位置決めをなす位置決めピン６と、他の貫通孔に挿入固定されるボルト８とナット９からなる前記固定部材７とによって構成されている。
【００３６】
このような構成を有するネスティングラック１は、図６に示すように、前記嵌合突起１０に形成されている前記複数の貫通孔５の一つに前記位置決めピン６を貫通させた後に、前記嵌合突起１０に前記上部支柱３ｂの前記嵌合孔１１を嵌合させて、前記上部支柱３ｂの下端縁を前記位置決めピン６に当接させる。
これによって、前記嵌合突起１０と前記上部支柱３ｂとの軸線方向における相対的な位置関係が設定される。
【００３７】
ついで、前記位置決めピン６が貫通させられている貫通孔５以外の貫通孔５に前記固定部材７を挿入固定することにより、前記嵌合突起１０（すなわち前記下部支柱３ａ）と前記上部支柱３ｂとを、前述したように位置決めされた状態で固定することができる。
【００３８】
したがって、前記嵌合部Ｇにおいて、前記位置決めピン６を差し込む貫通孔５を選択することにより、前記下部支柱３ａと前記上部支柱３ｂの軸線方向の相対的な位置関係、すなわち、前記下部支柱３ａと前記上部支柱３ｂとによって構成される支柱３の長さを調整することができる。
【００３９】
そして、前記支柱の長さを長くすることにより、ネスティングラック１によって形成される収納空間を拡大することができる。
【００４０】
しかも、前記支柱の長さ調整を行なう前記固定手段Ｒが、前記貫通孔５に嵌合される位置決めピン６や、ボルト８やナット９からなる固定部材７によって構成されており、その何れも形状が小さく重量も軽い部材であることから、前記ネスティングラック１の重量増加を極力抑えることができる。
【００４１】
したがって、前記ネスティングラック１の収納空間を大きくしても、このネスティングラック１の取り扱いに与える影響を抑制することができる。
【００４２】
なお、前記実施形態において示した各構成部材の諸形状や寸法等は一例であって、設計要求等に基づき種々変更可能である。
【００４３】
たとえば、前記支柱３は、中空の角形管に代えて、断面コ字状のチャンネル材を用いてもよく、断面が楕円形の管を用いることもできる。
また、前記固定部材７は、ボルト８およびナット９に限らず、抜け止め機能を備えた構成であれば使用可能である。
【符号の説明】
【００４４】
１  ネスティングラック
２  フォークリフト
３  支柱
４  連結枠
５  貫通孔
６  位置決めピン
７  固定部材
８  ボルト
９  ナット
１０  嵌合突起
１１  嵌合孔
Ｇ  嵌合部
Ｒ  固定手段
【図１】
2020001791.tif 000003
【図２】
2020001791.tif 000004
【図３】
2020001791.tif 000005
【図４】
2020001791.tif 000006
【図５】
2020001791.tif 000007
【図６】
2020001791.tif 000008
【図７】
2020001791.tif 000009
【図８】
2020001791.tif 000010
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
複数の支柱と、これらの支柱を連結する複数の連結枠とを備える籠状のネスティングラックであって、
前記各支柱が、嵌合部を介して同軸状に連結される下部支柱と上部支柱とを有し、前記嵌合部に、前記下部支柱と前記上部支柱とを固定する固定手段が設けられ、
前記篏合部は、前記下部支柱と前記上部支柱の何れか一方の端部に同軸状に突設された嵌合突起と、前記下部支柱と前記上部支柱の何れか他方の端部に形成され、前記嵌合突起に嵌合させられる嵌合孔とを備え、
前記篏合突起と、前記上部支柱の下部又は前記下部支柱の上部には、前記篏合部を前記各支柱の軸線と交差する方向に貫通する貫通孔が、前記各支柱の軸線方向に所定間隔をおいて複数形成され、
前記貫通孔のそれぞれが、前記各支柱の軸線と交差する方向で相対する位置に形成された二つの孔により構成され、
前記固定手段が、前記篏合突起の貫通孔に挿入されて前記下部支柱と前記上部支柱の軸線方向の位置決めをなす位置決め部材と、前記篏合突起の他の貫通孔及び前記上部支柱の下部又は前記下部支柱の上部の貫通孔に挿入固定される固定部材と、を含み、
前記位置決め部材は、前記篏合突起に設けられた前記二つの孔の相対距離よりも長く、
前記貫通孔の内径は、前記位置決め部材を前記各支柱の軸線と交差する方向への移動のみによって前記貫通孔へ挿入可能なように形成され、
前記位置決め部材が、前記嵌合孔の開口縁部が少なくとも２か所で当接させられることにより、前記下部支柱と前記上部支柱との位置決めを行なうことを特徴とするネスティングラック。
【請求項２】
前記篏合部は、前記下部支柱の上端に同軸状に突設された嵌合突起と、前記上部支柱の下部に形成され、前記嵌合突起に嵌合させられる嵌合孔とを備え、
前記篏合突起と前記上部支柱の下部には、前記篏合部を前記各支柱の軸線と交差する方向に貫通する貫通孔が、前記各支柱の軸線方向に所定間隔をおいて複数形成され、
前記下部支柱及び前記上部支柱には、外形形状が同一の管が用いられ、前記下部支柱と篏合突起の間には、前記上部支柱の下端に当接して、前記上部支柱の下方への移動を制限する段部が設けられている、請求項１に記載のネスティングラック。
【請求項３】
前記位置決め部材は、ピンであることを特徴とする請求項１又は２に記載のネスティングラック。
【請求項４】
前記下部支柱に形成された複数の貫通孔と、前記上部支柱に形成された貫通孔が、前記下部支柱と前記上部支柱が前記位置決め部材によって位置決めされた状態において、相互に重畳させられる位置に形成されていることを特徴とする請求項１〜３の何れかに記載のネスティングラック。
【請求項５】
前記嵌合突起および前記嵌合孔の、軸線と直交する断面形状が非真円形状となされていることを特徴とする請求項１〜４の何れかに記載のネスティングラック。
【請求項６】
請求項１〜５の何れかに記載のネスティングラックの使用方法であって、前記下部支柱若しくは前記上部支柱の前記複数の貫通孔の一つに前記位置決め部材を貫通させる工程と、前記下部支柱若しくは前記上部支柱に他の前記下部支柱若しくは前記上部支柱を、前記嵌合部を利用して嵌合させる工程と、前記位置決め部材を貫通させた貫通孔以外の貫通孔に前記固定部材を挿入固定することにより、前記下部支柱と前記上部支柱とを固定する工程と、を行うことで前記支柱の長さを調整する、ネスティングラックの使用方法。